(57)【要約】【課題】  履き心地が良く、かつ、表と裏の両方の柄を入れ替えて、ファッション面において楽しむことができ、気分転換することができるパンツを提供する。【解決手段】  第１布地１と、第１布地１の裏面側に配設された第２布地２をもって、リバーシブルに構成する。縫い代が、第１布地１と第２布地２の間に収納されている。【選択図】  図１
2006193865.tif 000002
【特許請求の範囲】
【請求項１】
第１布地（１）と、該第１布地（１）の裏面（Ｙ1 ）側に配設された第２布地（２）をもって、リバーシブルに構成したことを特徴とするパンツ。
【請求項２】
第１布地（１）と、該第１布地（１）の裏面（Ｙ1 ）側に配設された第２布地（２）をもって、リバーシブルに構成し、さらに、縫い代（３）を、上記第１布地（１）と上記第２布地（２）の間に収納したことを特徴とするパンツ。
【請求項３】
ウエスト部（８）と左右裾部（９）（９）と左右脇部（10）（10）と股部（11）と前あき（12）を有する第１布地（１）製第１前体（13）と、ウエスト部（14）と左右裾部（15）（15）と左右脇部（16）（16）と股部（17）と前あき（18）を有する第２布地（２）製第２前体（19）と、ウエスト部（20）と左右裾部（21）（21）と左右脇部（22）（22）と股部（23）を有する第１布地（１）製第１後ろ体（24）と、ウエスト部（25）と左右裾部（26）（26）と左右脇部（27）（27）と股部（28）を有する第２布地（２）製第２後ろ体（29）を、製造する前体・後ろ体製造工程と、
上記第１前体（13）と上記第１後ろ体（24）を表て面（Ｘ1 ）（Ｘ1 ）合わせにして、夫々の左脇部（10ａ）と左脇部（22ａ）、右脇部（10ｂ）と右脇部（22ｂ）、及び、股部（11）と股部（23）を相互に縫製（Ｍ3 ）して、上記第１前体（13）の左右裾部（９）（９）と上記第１後ろ体（24）の対応する左右裾部（21）（21）にて左右第１裾口（33）（33）を形成しつつ、第１半体（31）を形成するとともに、上記第２前体（19）と上記第２後ろ体（29）を表て面（Ｘ2 ）（Ｘ2 ）合わせにして、夫々の左脇部（16ａ）と左脇部（27ａ）、右脇部（16ｂ）と右脇部（27ｂ）、及び、股部（17）と股部（28）を相互に縫製（Ｍ4 ）して、上記第２前体（19）の左右裾部（15）（15）と上記第２後ろ体（29）の対応する左右裾部（26）（26）にて左右第２裾口（34）（34）を形成しつつ、第２半体（32）を形成する半体形成工程と、
上記第１半体（31）と上記第２半体（32）を、各々の裏面（Ｙ1 ）（Ｙ2 ）を外側とした状態で、上記第１前体（13）のウエスト部（８）と上記第２前体（19）のウエスト部（14）を、表て面（Ｘ1 ）（Ｘ2 ）合わせにして、縫製（Ｍ5 ）するとともに、上記第１後ろ体（24）のウエスト部（20）と上記第２後ろ体（29）のウエスト部（25）を、表て面（Ｘ1 ）（Ｘ2 ）合わせにして、縫製（Ｍ6 ）するウエスト部縫製工程と、
上記第１半体（31）と上記第２半体（32）のいずれかを、上記左右第１裾口（33）（33）と上記左右第２裾口（34）（34）のいずれかひとつにくぐらせて、上記第１半体（31）と上記第２半体（32）を、各々の表て面（Ｘ1 ）（Ｘ2 ）を外側とした状態にする反転工程と、
上記第１半体（31）と上記第２半体（32）の一方を他方に表て面（Ｘ1 ）（Ｘ2 ）が外側になるように、かつ、上記左右第１裾口（33）（33）の各々が対応する上記左右第２裾口（34）（34）に重なるように、入れる重ね入れ工程と、
上記左右第１裾口（33）（33）の一方と該第１裾口（33）に対応する上記第２裾口（34）を、上記左右第１裾口（33）（33）の他方と該第１裾口（33）に対応する上記第２裾口（34）の間、又は、上記第１前体（13）の前あき（12）、又は、上記第２前体（19）の前あき（18）に引き出して、表て面（Ｘ1 ）（Ｘ2 ）どうしを合わせつつ縫製（Ｍ10）するとともに、上記左右第１裾口（33）（33）の他方と該第１裾口（33）に対応する上記第２裾口（34）を、上記第１前体（13）の前あき（12）又は上記第２前体（19）の前あき（18）に引き出して、表て面（Ｘ1 ）（Ｘ2 ）どうしを合わせつつ縫製（Ｍ11）する裾口縫製工程と、を順次有することを特徴とするパンツの製法。
【請求項４】
ウエスト部（８）と左右裾部（９）（９）と左右脇部（10）（10）と股部（11）と前あき（12）を有する第１布地（１）製第１前体（13）と、ウエスト部（14）と左右裾部（15）（15）と左右脇部（16）（16）と股部（17）と前あき（18）を有する第２布地（２）製第２前体（19）と、ウエスト部（20）と左右裾部（21）（21）と左右脇部（22）（22）と股部（23）を有する第１布地（１）製第１後ろ体（24）と、ウエスト部（25）と左右裾部（26）（26）と左右脇部（27）（27）と股部（28）を有する第２布地（２）製第２後ろ体（29）を、製造する前体・後ろ体製造工程と、
上記第１前体（13）と上記第１後ろ体（24）を表て面（Ｘ1 ）（Ｘ1 ）合わせにして、夫々の左脇部（10ａ）と左脇部（22ａ）、右脇部（10ｂ）と右脇部（22ｂ）、及び、股部（11）と股部（23）を相互に縫製（Ｍ3 ）して、上記第１前体（13）の左右裾部（９）（９）と上記第１後ろ体（24）の対応する左右裾部（21）（21）にて左右第１裾口（33）（33）を形成しつつ、第１半体（31）を形成するとともに、上記第２前体（19）と上記第２後ろ体（29）を表て面（Ｘ2 ）（Ｘ2 ）合わせにして、夫々の左脇部（16ａ）と左脇部（27ａ）、右脇部（16ｂ）と右脇部（27ｂ）、及び、股部（17）と股部（28）を相互に縫製（Ｍ4 ）して、上記第２前体（19）の左右裾部（15）（15）と上記第２後ろ体（29）の対応する左右裾部（26）（26）にて左右第２裾口（34）（34）を形成しつつ、第２半体（32）を形成する半体形成工程と、
上記第１半体（31）と上記第２半体（32）を、各々の裏面（Ｙ1 ）（Ｙ2 ）を外側とした状態で、上記左右第１裾口（33）（33）の一方と、該第１裾口（33）に対応する上記第２裾口（34）を、上記第１前体（13）と上記第２前体（19）の表て面（Ｘ1 ）（Ｘ2 ）どうしを合わせつつ、かつ、上記第１後ろ体（24）と上記第２後ろ体（29）の表て面（Ｘ1 ）（Ｘ2 ）どうしを合わせつつ、縫製（Ｍ13）するとともに、
上記第１半体（31）と上記第２半体（32）を、各々の裏面（Ｙ1 ）（Ｙ2 ）を外側とした状態で、上記左右第１裾口（33）（33）の他方と、該第１裾口（33）に対応する上記第２裾口（34）を、上記第１前体（13）と上記第２前体（19）の表て面（Ｘ1 ）（Ｘ2 ）どうしを合わせつつ、かつ、上記第１後ろ体（24）と上記第２後ろ体（29）の表て面（Ｘ1 ）（Ｘ2 ）どうしを合わせつつ、縫製（Ｍ14）し、
かつ、上記第１前体（13）のウエスト部（８）と上記第２前体（19）のウエスト部（14）を、表て面（Ｘ1 ）（Ｘ2 ）合わせにして、縫製（Ｍ5 ）するとともに、上記第１後ろ体（24）のウエスト部（20）と上記第２後ろ体（29）のウエスト部（25）を、表て面（Ｘ1 ）（Ｘ2 ）合わせにして、縫製（Ｍ6 ）する裾口・ウエスト部縫製工程と、
全体を、上記第１前体（13）の前あき（12）、又は、上記第２前体（19）の前あき（18）をくぐらせて反転させる最終反転工程と、を順次有することを特徴とするパンツの製法。
【請求項５】
ウエスト部（36）と左右裾部（37）（37）と左右脇部（38）（38）と股部（39）を有する第１布地（１）製第１前体（40）と、ウエスト部（41）と左右裾部（42）（42）と左右脇部（43）（43）と股部（44）を有する第２布地（２）製第２前体（45）と、ウエスト部（46）と左右裾部（47）（47）と左右脇部（48）（48）と股部（49）を有する第１布地（１）製第１後ろ体（50）と、ウエスト部（51）と左右裾部（52）（52）と左右脇部（53）（53）と股部（54）を有する第２布地（２）製第２後ろ体（55）を、製造する前体・後ろ体製造工程と、
上記第１前体（40）と上記第１後ろ体（50）を表て面（Ｘ1 ）（Ｘ1 ）合わせにして、夫々の左脇部（38ａ）と左脇部（48ａ）、右脇部（38ｂ）と右脇部（48ｂ）、及び、股部（39）と股部（49）を、相互に縫製（Ｍ15）して、上記第１前体（40）の左右裾部（37）（37）と上記第１後ろ体（50）の対応する左右裾部（47）（47）にて左右第１裾口（59）（59）を形成しつつ、第１半体（57）を形成するとともに、上記第２前体（45）と上記第２後ろ体（55）を表て面（Ｘ2 ）（Ｘ2 ）合わせにして、夫々の左脇部（43ａ）と左脇部（53ａ）、右脇部（43ｂ）と右脇部（53ｂ）、及び、股部（44）と股部（54）を、相互に縫製（Ｍ16）して、上記第２前体（45）の左右裾部（42）（42）と上記第２後ろ体（55）の対応する左右裾部（52）（52）にて左右第２裾口（60）（60）を形成しつつ、第２半体（58）を形成する半体形成工程と、
上記第１半体（57）と上記第２半体（58）を、各々の裏面（Ｙ1 ）（Ｙ2 ）を外側とした状態で、上記第１前体（40）のウエスト部（36）と上記第２前体（45）のウエスト部（41）を、表て面（Ｘ1 ）（Ｘ2 ）合わせにして、縫製（Ｍ17）するとともに、上記第１後ろ体（50）のウエスト部（46）と上記第２後ろ体（55）のウエスト部（51）を、表て面（Ｘ1 ）（Ｘ2 ）合わせにして、縫製（Ｍ18）し、その際、上記第１前体（40）のウエスト部（36）と上記第２前体（45）のウエスト部（41）の間、又は、上記第１後ろ体（50）と上記第２後ろ体（55）の間に、あき部（61）を残して縫製（Ｍ24）するウエスト部縫製工程と、
上記第１半体（57）と上記第２半体（58）のいずれかを、上記左右第１裾口（59）（59）と上記左右第２裾口（60）（60）のいずれかひとつにくぐらせて、上記第１半体（57）と上記第２半体（58）を、各々の表て面（Ｘ1 ）（Ｘ2 ）を外側とした状態にする反転工程と、
上記第１半体（57）と上記第２半体（58）の一方を他方に表て面（Ｘ1 ）（Ｘ2 ）が外側になるように、かつ、上記左右第１裾口（59）（59）の各々が対応する上記第２裾口（60）（60）に重なるように、入れる重ね入れ工程と、
上記左右第１裾口（59）（59）の一方と該第１裾口（59）に対応する上記第２裾口（60）を、上記左右第１裾口（59）（59）の他方と該第１裾口（59）に対応する上記第２裾口（60）の間、又は、上記あき部（61）に引き出して、表て面（Ｘ1 ）（Ｘ2 ）どうしを合わせつつ縫製（Ｍ21）するとともに、上記左右第１裾口（59）（59）の他方と該第１裾口（59）に対応する上記第２裾口（60）を、上記あき部（61）に引き出して、表て面（Ｘ1 ）（Ｘ2 ）どうしを合わせつつ縫製（Ｍ22）する裾口縫製工程と、を順次有することを特徴とするパンツの製法。
【請求項６】
ウエスト部（36）と左右裾部（37）（37）と左右脇部（38）（38）と股部（39）を有する第１布地（１）製第１前体（40）と、ウエスト部（41）と左右裾部（42）（42）と左右脇部（43）（43）と股部（44）を有する第２布地（２）製第２前体（45）と、ウエスト部（46）と左右裾部（47）（47）と左右脇部（48）（48）と股部（49）を有する第１布地（１）製第１後ろ体（50）と、ウエスト部（51）と左右裾部（52）（52）と左右脇部（53）（53）と股部（54）を有する第２布地（２）製第２後ろ体（55）を、製造する前体・後ろ体製造工程と、
上記第１前体（40）と上記第１後ろ体（50）を表て面（Ｘ1 ）（Ｘ1 ）合わせにして、夫々の左脇部（38ａ）と左脇部（48ａ）、右脇部（38ｂ）と右脇部（48ｂ）、及び、股部（39）と股部（49）を、相互に縫製（Ｍ15）して、上記第１前体（40）の左右裾部（37）（37）と上記第１後ろ体（50）の対応する左右裾部（47）（47）にて左右第１裾口（59）（59）を形成しつつ、第１半体（57）を形成するとともに、上記第２前体（45）と上記第２後ろ体（55）を表て面（Ｘ2 ）（Ｘ2 ）合わせにして、夫々の左脇部（43ａ）と左脇部（53ａ）、右脇部（43ｂ）と右脇部（53ｂ）、及び、股部（44）と股部（54）を、相互に縫製（Ｍ16）して、上記第２前体（45）の左右裾部（42）（42）と上記第２後ろ体（55）の対応する左右裾部（52）（52）にて左右第２裾口（60）（60）を形成しつつ、第２半体（58）を形成する半体形成工程と、
上記第１半体（57）と上記第２半体（58）を、各々の裏面（Ｙ1 ）（Ｙ2 ）を外側とした状態で、上記左右第１裾口（59）（59）の一方と、該第１裾口（59）に対応する上記第２裾口（60）を、上記第１前体（40）と上記第２前体（45）の表て面（Ｘ1 ）（Ｘ2 ）どうしを合わせつつ、かつ、上記第１後ろ体（50）と上記第２後ろ体（55）の表て面（Ｘ1 ）（Ｘ2 ）どうしを合わせつつ、縫製（Ｍ25）するとともに、
上記第１半体（57）と上記第２半体（58）を、各々の裏面（Ｙ1 ）（Ｙ2 ）を外側とした状態で、上記左右第１裾口（59）（59）の他方と、該第１裾口（59）に対応する上記第２裾口（60）を、上記第１前体（40）と上記第２前体（45）の表て面（Ｘ1 ）（Ｘ2 ）どうしを合わせつつ、かつ、上記第１後ろ体（50）と上記第２後ろ体（55）の表て面（Ｘ1 ）（Ｘ2 ）どうしを合わせつつ、縫製（Ｍ26）し、
かつ、上記第１半体（57）と上記第２半体（58）を、各々の裏面（Ｙ1 ）（Ｙ2 ）を外側とした状態で、上記第１前体（40）のウエスト部（36）と上記第２前体（45）のウエスト部（41）を、表て面（Ｘ1 ）（Ｘ2 ）合わせにして、縫製（Ｍ17）するとともに、上記第１後ろ体（50）のウエスト部（46）と上記第２後ろ体（55）のウエスト部（51）を、表て面（Ｘ1 ）（Ｘ2 ）合わせにして、縫製（Ｍ18）し、その際、上記第１前体（40）のウエスト部（36）と上記第２前体（45）のウエスト部（41）の間、又は、上記第１後ろ体（50）と上記第２後ろ体（55）の間に、あき部（61）を残して縫製（Ｍ24）する裾口・ウエスト部縫製工程と、
全体を、上記あき部（61）をくぐらせて反転させる最終反転工程と、を順次有することを特徴とするパンツの製法。
【発明の詳細な説明】
【技術分野】
【０００１】
本発明は、パンツ及びその製法に関する。
【背景技術】
【０００２】
従来のパンツ（トランクス、ブリーフ、ショーツ、水着等）は、いわゆる１枚仕立てである（例えば、特許文献１参照）。
【０００３】
しかし、裏面が肌に当たると、ザラザラとした感触がして履き心地が悪かった。また、縫い代が裏面に突出しており、この縫い代が肌に当たると、違和感があり履き心地が悪かった。
【特許文献１】特開２００１−２４８００２号公報
【発明の開示】
【発明が解決しようとする課題】
【０００４】
解決しようとする課題は、履き心地が悪い点である。
【課題を解決するための手段】
【０００５】
そこで、本発明に係るパンツは、第１布地と、該第１布地の裏面側に配設された第２布地をもって、リバーシブルに構成したものである。
また、第１布地と、該第１布地の裏面側に配設された第２布地をもって、リバーシブルに構成し、さらに、縫い代を、上記第１布地と上記第２布地の間に収納したものである。
【０００６】
また、本発明に係るパンツの製法は、ウエスト部と左右裾部と左右脇部と股部と前あきを有する第１布地製第１前体と、ウエスト部と左右裾部と左右脇部と股部と前あきを有する第２布地製第２前体と、ウエスト部と左右裾部と左右脇部と股部を有する第１布地製第１後ろ体と、ウエスト部と左右裾部と左右脇部と股部を有する第２布地製第２後ろ体を、製造する前体・後ろ体製造工程と；上記第１前体と上記第１後ろ体を表て面合わせにして、夫々の左脇部と左脇部、右脇部と右脇部、及び、股部と股部を相互に縫製して、上記第１前体の左右裾部と上記第１後ろ体の対応する左右裾部にて左右第１裾口を形成しつつ、第１半体を形成するとともに、上記第２前体と上記第２後ろ体を表て面合わせにして、夫々の左脇部と左脇部、右脇部と右脇部、及び、股部と股部を相互に縫製して、上記第２前体の左右裾部と上記第２後ろ体の対応する左右裾部にて左右第２裾口を形成しつつ、第２半体を形成する半体形成工程と；上記第１半体と上記第２半体を、各々の裏面を外側とした状態で、上記第１前体のウエスト部と上記第２前体のウエスト部を、表て面合わせにして、縫製するとともに、上記第１後ろ体のウエスト部と上記第２後ろ体のウエスト部を、表て面合わせにして、縫製するウエスト部縫製工程と；上記第１半体と上記第２半体のいずれかを、上記左右第１裾口と上記左右第２裾口のいずれかひとつにくぐらせて、上記第１半体と上記第２半体を、各々の表て面を外側とした状態にする反転工程と；上記第１半体と上記第２半体の一方を他方に表て面が外側になるように、かつ、上記左右第１裾口の各々が対応する上記左右第２裾口に重なるように、入れる重ね入れ工程と；上記左右第１裾口の一方と該第１裾口に対応する上記第２裾口を、上記左右第１裾口の他方と該第１裾口に対応する上記第２裾口の間、又は、上記第１前体の前あき、又は、上記第２前体の前あきに引き出して、表て面どうしを合わせつつ縫製するとともに、上記左右第１裾口の他方と該第１裾口に対応する上記第２裾口を、上記第１前体の前あき又は上記第２前体の前あきに引き出して、表て面どうしを合わせつつ縫製する裾口縫製工程と、を順次有する方法である。
【０００７】
また、ウエスト部と左右裾部と左右脇部と股部と前あきを有する第１布地製第１前体と、ウエスト部と左右裾部と左右脇部と股部と前あきを有する第２布地製第２前体と、ウエスト部と左右裾部と左右脇部と股部を有する第１布地製第１後ろ体と、ウエスト部と左右裾部と左右脇部と股部を有する第２布地製第２後ろ体を、製造する前体・後ろ体製造工程と；上記第１前体と上記第１後ろ体を表て面合わせにして、夫々の左脇部と左脇部、右脇部と右脇部、及び、股部と股部を相互に縫製して、上記第１前体の左右裾部と上記第１後ろ体の対応する左右裾部にて左右第１裾口を形成しつつ、第１半体を形成するとともに、上記第２前体と上記第２後ろ体を表て面合わせにして、夫々の左脇部と左脇部、右脇部と右脇部、及び、股部と股部を相互に縫製して、上記第２前体の左右裾部と上記第２後ろ体の対応する左右裾部にて左右第２裾口を形成しつつ、第２半体を形成する半体形成工程と；上記第１半体と上記第２半体を、各々の裏面を外側とした状態で、上記左右第１裾口の一方と、該第１裾口に対応する上記第２裾口を、上記第１前体と上記第２前体の表て面どうしを合わせつつ、かつ、上記第１後ろ体と上記第２後ろ体の表て面どうしを合わせつつ、縫製するとともに；上記第１半体と上記第２半体を、各々の裏面を外側とした状態で、上記左右第１裾口の他方と、該第１裾口に対応する上記第２裾口を、上記第１前体と上記第２前体の表て面どうしを合わせつつ、かつ、上記第１後ろ体と上記第２後ろ体の表て面どうしを合わせつつ、縫製する裾口縫製工程と；上記第１前体のウエスト部と上記第２前体のウエスト部を、表て面合わせにして、縫製するとともに、上記第１後ろ体のウエスト部と上記第２後ろ体のウエスト部を、表て面合わせにして、縫製するウエスト部縫製工程と；全体を、上記第１前体の前あき、又は、上記第２前体の前あきをくぐらせて反転させる最終反転工程と、を順次有する方法である。
【０００８】
また、ウエスト部と左右裾部と左右脇部と股部を有する第１布地製第１前体と、ウエスト部と左右裾部と左右脇部と股部を有する第２布地製第２前体と、ウエスト部と左右裾部と左右脇部と股部を有する第１布地製第１後ろ体と、ウエスト部と左右裾部と左右脇部と股部を有する第２布地製第２後ろ体を、製造する前体・後ろ体製造工程と；上記第１前体と上記第１後ろ体を表て面合わせにして、夫々の左脇部と左脇部、右脇部と右脇部、及び、股部と股部を、相互に縫製して、上記第１前体の左右裾部と上記第１後ろ体の対応する左右裾部にて左右第１裾口を形成しつつ、第１半体を形成するとともに、上記第２前体と上記第２後ろ体を表て面合わせにして、夫々の左脇部と左脇部、右脇部と右脇部、及び、股部と股部を、相互に縫製して、上記第２前体の左右裾部と上記第２後ろ体の対応する左右裾部にて左右第２裾口を形成しつつ、第２半体を形成する半体形成工程と；上記第１半体と上記第２半体を、各々の裏面を外側とした状態で、上記第１前体のウエスト部と上記第２前体のウエスト部を、表て面合わせにして、縫製するとともに、上記第１後ろ体のウエスト部と上記第２後ろ体のウエスト部を、表て面合わせにして、縫製し、その際、上記第１前体のウエスト部と上記第２前体のウエスト部の間、又は、上記第１後ろ体と上記第２後ろ体の間に、あき部を残して縫製するウエスト部縫製工程と；上記第１半体と上記第２半体のいずれかを、上記左右第１裾口と上記左右第２裾口のいずれかひとつにくぐらせて、上記第１半体と上記第２半体を、各々の表て面を外側とした状態にする反転工程と；上記第１半体と上記第２半体の一方を他方に表て面が外側になるように、かつ、上記左右第１裾口の各々が対応する上記第２裾口に重なるように、入れる重ね入れ工程と；上記左右第１裾口の一方と該第１裾口に対応する上記第２裾口を、上記左右第１裾口の他方と該第１裾口に対応する上記第２裾口の間、又は、上記あき部に引き出して、表て面どうしを合わせつつ縫製するとともに、上記左右第１裾口の他方と該第１裾口に対応する上記第２裾口を、上記あき部に引き出して、表て面どうしを合わせつつ縫製する裾口縫製工程と、を順次有する方法である。
【０００９】
また、ウエスト部と左右裾部と左右脇部と股部を有する第１布地製第１前体と、ウエスト部と左右裾部と左右脇部と股部を有する第２布地製第２前体と、ウエスト部と左右裾部と左右脇部と股部を有する第１布地製第１後ろ体と、ウエスト部と左右裾部と左右脇部と股部を有する第２布地製第２後ろ体を、製造する前体・後ろ体製造工程と；上記第１前体と上記第１後ろ体を表て面合わせにして、夫々の左脇部と左脇部、右脇部と右脇部、及び、股部と股部を、相互に縫製して、上記第１前体の左右裾部と上記第１後ろ体の対応する左右裾部にて左右第１裾口を形成しつつ、第１半体を形成するとともに、上記第２前体と上記第２後ろ体を表て面合わせにして、夫々の左脇部と左脇部、右脇部と右脇部、及び、股部と股部を、相互に縫製して、上記第２前体の左右裾部と上記第２後ろ体の対応する左右裾部にて左右第２裾口を形成しつつ、第２半体を形成する半体形成工程と；上記第１半体と上記第２半体を、各々の裏面を外側とした状態で、上記左右第１裾口の一方と、該第１裾口に対応する上記第２裾口を、上記第１前体と上記第２前体の表て面どうしを合わせつつ、かつ、上記第１後ろ体と上記第２後ろ体の表て面どうしを合わせつつ、縫製するとともに；上記第１半体と上記第２半体を、各々の裏面を外側とした状態で、上記左右第１裾口の他方と、該第１裾口に対応する上記第２裾口を、上記第１前体と上記第２前体の表て面どうしを合わせつつ、かつ、上記第１後ろ体と上記第２後ろ体の表て面どうしを合わせつつ、縫製し；かつ、上記第１半体と上記第２半体を、各々の裏面を外側とした状態で、上記第１前体のウエスト部と上記第２前体のウエスト部を、表て面合わせにして、縫製するとともに、上記第１後ろ体のウエスト部と上記第２後ろ体のウエスト部を、表て面合わせにして、縫製し、その際、上記第１前体のウエスト部と上記第２前体のウエスト部の間、又は、上記第１後ろ体と上記第２後ろ体の間に、あき部を残して縫製する裾口・ウエスト部縫製工程と；全体を、上記あき部をくぐらせて反転させる最終反転工程と、を順次有する方法である。
【発明の効果】
【００１０】
本発明のパンツによれば、履き心地が良い。また、表と裏の両方の模様（柄）を入れ替え（変更）して、ファッション面においても楽しむことができ、気分転換することもできる。また、万一の場合に裏返して履くことができ、至便である。また、保温性が良い。また、本発明のパンツの製法によれば、リバーシブルであって、縫い代を第１布地と第２布地の間に収納したパンツを製造することができる。
【発明を実施するための最良の形態】
【００１１】
図１・図２は、本発明の第１の実施の形態を示す。このパンツは、トランクスであって、第１布地１と、第１布地１の裏面Ｙ1 （図16（ｂ）参照）側に配設された第２布地２をもって、リバーシブル（反転可能）に構成されている。第１布地１及び第２布地２は、例えば、薄地の綿から成る。そして、第１布地１と第２布地２は、異なる布地とするのが好ましい。例えば、第１布地１を大柄の模様とし、第２布地を第１布地の模様の中の１色の無地とする。図２は、図１の状態から全体を裏返した状態（リバーシブル状態）を示し、図１の状態で履くこともできるし、図２の状態で履くこともできる。以下、第１布地１の表て面をＸ1 、第１布地１の裏面をＹ1 、第２布地２の表て面をＸ2 、第２布地２の裏面をＹ2 とする。
【００１２】
図３は、図１のＡ−Ａ断面を示し、図４は、図１のＢ−Ｂ断面を示す。縫い代３が、第１布地１と第２布地２の間に収納されている。具体的には、周縁部４───すなわち、ウエスト部Ｗ、及び、左右裾口Ｓ，Ｓ───が、袋縫い状とされている。５はゴムを示す。
【００１３】
図５は、第２の実施の形態を示す。このパンツは、女性用ショーツである。図６は、図５のＣ−Ｃ断面を示し、図７は、図５のＤ−Ｄ断面を示す。周縁部４が、袋縫い状とされている。
【００１４】
次に、第１の実施の形態のパンツの製法（製法１）について説明する。
まず、前体・後ろ体製造工程を行なう。具体的には、図８・図９に示す第１布地１から成る前身頃６，６と第１布地１から成る前立て７を、相互に縫製Ｍ1 して、ウエスト部８と左右裾部９，９と左右脇部10，10と股部11と前あき12を有する第１布地１製第１前体13を製造する。同様に、図10に示すように、ウエスト部14と左右裾部15，15と左右脇部16，16と股部17と前あき18を有する第２布地２製第２前体19を縫製Ｍ2 して製造する。図11に示すように、ウエスト部20と左右裾部21，21と左右脇部22，22と股部23を有する第１布地１製第１後ろ体24を製造する。同様に、図12に示すように、ウエスト部25と左右裾部26，26と左右脇部27，27と股部28を有する第２布地２製第２後ろ体29を、製造する。
【００１５】
次に半体形成工程を行なう。具体的には、図13に示すように、第１前体13と第１後ろ体24を表て面Ｘ1 ，Ｘ1 合わせにして、夫々の左脇部10ａと左脇部22ａ、右脇部10ｂと右脇部22ｂ、及び、股部11と股部23（図11参照）を相互に縫製Ｍ3 して、第１前体13の左右裾部９，９と第１後ろ体24の対応する左右裾部21，21にて左右第１裾口33，33を形成しつつ、第１半体31を形成する。同様に、布製第２前体19（図10参照）と布製第２後ろ体29（図12参照）を表て面Ｘ2 ，Ｘ2 合わせにして、夫々の左脇部16ａと左脇部27ａ、右脇部16ｂと右脇部27ｂ、及び、股部17と股部28を相互に縫製Ｍ4 （図14参照）して、第２前体19の左右裾部15，15と第２後ろ体29の対応する左右裾部26，26にて左右第２裾口34，34を形成しつつ、第２半体32を形成する。
【００１６】
ウエスト部縫製工程を行なう。具体的には、図14に示すように、第１半体31と第２半体32を、各々の裏面Ｙ1 ，Ｙ2 を外側とした状態で、第１前体13のウエスト部８と第２前体19のウエスト部14を、表て面Ｘ1 ，Ｘ2 合わせにして、縫製Ｍ5 するとともに、第１後ろ体24のウエスト部20と第２後ろ体29のウエスト部25を、表て面Ｘ1 ，Ｘ2 合わせにして、縫製Ｍ6 する。
【００１７】
反転工程を行なう。具体的には、図14の矢印に示すように、第１半体31と第２半体32のいずれかを、左右第１裾口33，33と左右第２裾口34，34のいずれかひとつにくぐらせて、第１半体31と第２半体32を、図15に示すように、各々の表て面Ｘ1 ，Ｘ2 を外側とした状態にする。
【００１８】
重ね入れ工程を行なう。具体的には、図16に示すように、第１半体31と第２半体32の一方を他方に表て面Ｘ1 ，Ｘ2 が外側になるように、かつ、左右第１裾口33，33の各々が対応する左右第２裾口34，34に重なるように、入れる。製法１に於て、第１半体31と第２半体32を重ねた状態に於ける「外側」とは、第１半体31と第２半体32が積層状に向き合っている面と反対側───すなわち、第１前体13と第２前体19の向き合っている面と反対側、及び、第１後ろ体24と第２後ろ体29の向き合っている面と反対側───をいうと定義する。
【００１９】
その後、ウエスト部８とウエスト部14を縫製Ｍ7 し、かつ、ウエスト部20とウエスト部25を縫製Ｍ8 して、袋縫い状とする（袋縫い工程）。続いて、図３に示すように、ゴム５を内包させつつ、第１布地１と第２布地２を縫製Ｍ9 する（ゴム縫製工程）。
【００２０】
裾口縫製工程を行なう。具体的には、図16〜図18に示すように、左右第１裾口33，33の一方とこの第１裾口33に対応する第２裾口34（図15参照）を、左右第１裾口33，33の他方とこの第１裾口33に対応する第２裾口34の間に引き出して、表て面Ｘ1 ，Ｘ2 どうしを合わせつつ縫製Ｍ10する。同様に、図19及び図20に示すように、第１裾口33，33の他方とこの第１裾口33に対応する第２裾口34を、第１前体13の前あき12に引き出して、表て面Ｘ1 ，Ｘ2 どうしを合わせつつ縫製Ｍ11する。さらに、図４に示すように、裾口Ｓが袋縫い状となるように、縫製Ｍ12する。
【００２１】
第１の実施の形態のパンツの他の製法（製法２）について説明する。
製法１と同一の前体・後ろ体製造工程及び半体形成工程に引き続いて、裾口・ウエスト部縫製工程を行なう。裾口・ウエスト部縫製工程は、裾口縫製工程とウエスト部縫製工程を有する。具体的には、まず、裾口縫製工程を行なう。図21・図22に示すように、第１半体31と第２半体32を、各々の裏面Ｙ1 ，Ｙ2 を外側とした状態で、左右第１裾口33，33の一方と、この第１裾口33に対応する第２裾口34を、第１前体13と第２前体19の表て面Ｘ1 ，Ｘ2 どうしを合わせつつ、かつ、第１後ろ体24と第２後ろ体29の表て面Ｘ1 ，Ｘ2 どうしを合わせつつ、縫製Ｍ13する。同様に、第１半体31と第２半体32を、各々の裏面Ｙ1 ，Ｙ2 を外側とした状態で、左右第１裾口33，33の他方と、この第１裾口33に対応する第２裾口34を、第１前体13と第２前体19の表て面Ｘ1 ，Ｘ2 （図９・図10参照）どうしを合わせつつ、かつ、第１後ろ体24（図11参照）と第２後ろ体29（図12参照）の表て面Ｘ1 ，Ｘ2 どうしを合わせつつ、縫製Ｍ14する。
【００２２】
次に、ウエスト部縫製工程を行なう。具体的には、図21の矢印、及び、図22の矢印に示すように、第１半体31と第２半体32を、各々の前あき12，18が外から見えるように、全体をふたつ折りにして、図23に示すように、第１前体13のウエスト部８と第２前体19のウエスト部14を、表て面Ｘ1 ，Ｘ2 合わせにして、縫製Ｍ5 するとともに、第１後ろ体24のウエスト部20と第２後ろ体29のウエスト部25を、表て面Ｘ1 ，Ｘ2 合わせにして、縫製Ｍ6 する。
【００２３】
最終反転工程を行なう。具体的には、図23（ａ）の矢印に示すように、全体を、第１前体13の前あき12をくぐらせて反転させる。
その後、ウエスト部８とウエスト部14を縫製Ｍ7 （図１・図２参照）し、かつ、ウエスト部20とウエスト部25を縫製Ｍ8 して、袋縫い状とする（ウエスト部袋縫い工程）。続いて、図３に示すように、ゴム５を内包させつつ、第１布地１と第２布地２を縫製Ｍ9 する（ゴム縫製工程）。さらに、図１・図２・図４に示すように、左右裾口Ｓ，Ｓが袋縫い状となるように、縫製Ｍ12，Ｍ12する（裾口袋縫い工程）。
【００２４】
次に、第２の実施の形態のパンツの製法（製法３）について、説明する。
まず、前体・後ろ体製造工程を行なう。具体的には、図24に示すようなウエスト部36と左右裾部37，37と左右脇部38，38と股部39を有する第１布地１製第１前体40と、図25に示すようなウエスト部41と左右裾部42，42と左右脇部43，43と股部44を有する第２布地２製第２前体45と、図26に示すようなウエスト部46と左右裾部47，47と左右脇部48，48と股部49を有する第１布地１製第１後ろ体50と、図27に示すようなウエスト部51と左右裾部52，52と左右脇部53，53と股部54を有する第２布地２製第２後ろ体55を、製造する。
【００２５】
半体形成工程を行なう。第１前体40と第１後ろ体50を表て面Ｘ1 ，Ｘ2 合わせにして、夫々の左脇部38ａと左脇部48ａ、右脇部38ｂと右脇部48ｂ、及び、股部39と股部49を、相互に縫製Ｍ15（図28参照）して、第１前体40の左右裾部37，37と第１後ろ体50の対応する左右裾部47，47にて左右第１裾口59，59を形成しつつ、第１半体57を形成するとともに、第２前体45と第２後ろ体55を表て面Ｘ1 ，Ｘ2 合わせにして、夫々の左脇部48ａと左脇部53ａ、右脇部48ｂと右脇部53ｂ、及び、股部49と股部54を、相互に縫製Ｍ16して、第２前体45の左右裾部42，42と第２後ろ体55の対応する左右裾部52，52にて左右第２裾口60，60を形成しつつ、第２半体58を形成する。
【００２６】
ウエスト部縫製工程を行なう。具体的には、図28に示すように、第１半体57と第２半体58を、各々の裏面Ｙ1 ，Ｙ2 を外側とした状態で、第１前体40のウエスト部36と第２前体45のウエスト部41を、表て面Ｘ1 ，Ｘ2 合わせにして、縫製Ｍ17（Ｍ24）するとともに、第１後ろ体50のウエスト部46と第２後ろ体55のウエスト部51を、表て面Ｘ1 ，Ｘ2 合わせにして、縫製Ｍ18（Ｍ24）する。その際、第１前体40のウエスト部36と第２前体45のウエスト部41の間に、あき部61を残して縫製Ｍ17（Ｍ24）する。あき部61の長さＬは、２cm≦Ｌ≦５cmに設定される。Ｌ＜２cmの場合、後述の裾口縫製工程を行ないにくい。また、５cm＜Ｌの場合、製品の見栄えが悪くなる虞れがある。
【００２７】
反転工程を行なう。具体的には、図28の矢印に示すように、第１半体57と第２半体58のいずれかを、左右第１裾口59，59と左右第２裾口60，60のいずれかひとつにくぐらせて、第１半体57と第２半体58を、図29に示すように、各々の表て面Ｘ1 ，Ｘ2 を外側とした状態にする。
【００２８】
重ね入れ工程を行なう。具体的には、図29・図30に示すように、第１半体57と第２半体58の一方を他方に表て面Ｘ1 ，Ｘ2 が外側になるように、かつ、左右第１裾口59，59の各々が対応する左右第２裾口60，60に重なるように、入れる。製法３に於て、第１半体57と第２半体58を重ねた状態に於ける「外側」とは、第１半体57と第２半体58が積層状に向き合っている面と反対側───すなわち、第１前体40と第２前体45の向き合っている面と反対側、及び、第１後ろ体50と第２後ろ体55の向き合っている面と反対側───をいうと定義する。
【００２９】
その後、ウエスト部Ｗを、袋縫い状となるように縫製Ｍ19する（袋縫い工程）。続いて、図６に示すように、ゴム５を内包させつつ、第１布地１と第２布地２を縫製Ｍ20する（ゴム縫製工程）。
【００３０】
裾口縫製工程を行なう。図30・図31に示すように、左右第１裾口59，59の一方とこの第１裾口59に対応する第２裾口60を、左右第１裾口59，59の他方とこの第１裾口59に対応する第２裾口60の間に引き出して、表て面Ｘ1 ，Ｘ2 どうしを合わせつつ縫製Ｍ21する。次に、図32・図33に示すように、左右第１裾口59，59の他方の第１裾口59とこの第１裾口59に対応する第２裾口60を、あき部61に引き出して、表て面Ｘ1 ，Ｘ2 どうしを合わせつつ縫製Ｍ22する。さらに、図７に示すように、裾口Ｓが袋縫い状となるように、縫製Ｍ23する。  
【００３１】
第２の実施の形態のパンツの他の製法（製法４）について説明する。
製法３と同一の前体・後ろ体製造工程及び半体形成工程に引き続いて、裾口・ウエスト部縫製工程を行なう。
具体的には、まず、製法３と同一のウエスト部縫製工程を行なう。
【００３２】
次に、裾口縫製工程を行なう。すなわち、図34───図28（ａ）の全体をＺ−Ｚの位置でふたつ折りにした状態のＶ−Ｖ断面側面図に略相当する───に示すように、第１半体57と第２半体58を、各々の裏面Ｙ1 ，Ｙ2 を外側とした状態で、左右第１裾口59，59の一方と、第１裾口59に対応する第２裾口60を、第１前体40と第２前体45の表て面Ｘ1 ，Ｘ2 どうしを合わせつつ、かつ、第１後ろ体50と第２後ろ体55の表て面Ｘ1 ，Ｘ2 どうしを合わせつつ、縫製Ｍ25する。
【００３３】
同様に、図35───図28（ａ）の全体をＺ−Ｚの位置でふたつ折りにした状態のＷ−Ｗ断面側面図に略相当する───に示すように、第１半体57と第２半体58を、各々の裏面Ｙ1 ，Ｙ2 を外側とした状態で、左右第１裾口59，59の他方と、第１裾口59に対応する第２裾口60を、第１前体40と第２前体45の表て面Ｘ1 ，Ｘ2 どうしを合わせつつ、かつ、第１後ろ体50と第２後ろ体55の表て面Ｘ1 ，Ｘ2 どうしを合わせつつ、縫製Ｍ26する。
【００３４】
最終反転工程を行なう。すなわち、全体を、あき部61をくぐらせて反転させる。
なお、製法４に於ける袋縫い工程及びゴム縫製工程の説明は、省略したが、適時行なうこととする。
【００３５】
なお、本発明に於て、「パンツ」とは、下着用のパンツ（トランクス、ブリーフ、パンティ、ショーツ）、および、水着用のパンツを含むものとする。
【００３６】
本発明は、設計変更可能であって、第１布地１と第２布地２は、同じ布地、異なる布地のどちらでも良い。例えば、第１布地１を柄の模様とし、第２布地２を無地とする。または、第１布地１及び第２布地２をともに無地とするも良い。あるいは、第１布地１及び第２布地２をともに柄の模様とするも良い。
また、第１の実施の形態に於て、前あき12，前あき18にボタン（図示省略）と、ボタン孔（図示省略）を設けて、開閉自在とするも好ましい。
また、製法１の裾口縫製工程を、左右第１裾口33の一方とこの第１裾口33に対応する第２裾口34を、前あき12又は前あき18に引き出して、表て面Ｘ1 ，Ｘ2 どうしを合わせつつ縫製Ｍ10するとともに、左右第１裾口33，33の他方とこの第１裾口33に対応する第２裾口34を、第１前体13の前あき12又は第２前体19の前あき18に引き出して、表て面Ｘ1 ，Ｘ2 どうしを合わせつつ縫製Ｍ11する工程とするも良い。
【００３７】
また、製法２の裾口・ウエスト部縫製工程は、ウエスト部縫製工程を先に行ない、裾口縫製工程を後に行なっても良い。
また、製法２の最終反転工程は、全体を、第２前体19の前あき18をくぐらせて反転させる工程とするも良い。
【００３８】
また、製法３のウエスト部縫製工程に於て、あき部61を、第１後ろ体50と第２後ろ体55の間に残して縫製Ｍ18（Ｍ24）するも、好ましい。
また、製法３の裾口縫製工程を、左右第１裾口59，59の一方とこの第１裾口59に対応する第２裾口60を、あき部61に引き出して、表て面Ｘ1 ，Ｘ2 どうしを合わせつつ縫製Ｍ21するとともに、左右第１裾口59，59の他方とこの第１裾口59に対応する第２裾口60を、あき部61に引き出して、表て面Ｘ1 ，Ｘ2 どうしを合わせつつ縫製Ｍ22する工程とするも良い。
【００３９】
また、製法３の半体形成工程に於て、「第１前体40の股部39と第１後ろ体50の股部49を、相互に縫製Ｍ15する」とは、第１前体40と第１後ろ体の間50に第１クロッチ部片（図示省略）を介して、股部39と股部49を縫製Ｍ15する場合を含むものとする。この場合、第１前体40と第１クロッチ部片が縫製Ｍ15されるとともに、第１後ろ体50と第１クロッチ部片が縫製Ｍ15されている。同様に、「第２前体45の股部44と第２後ろ体55の股部54を、相互に縫製Ｍ16する」とは、第２前体45と第２後ろ体55の間に第２クロッチ部片（図示省略）を介して、股部44と股部54を縫製Ｍ16する場合を含むものとする。この場合、第２前体45と第２クロッチ部片が縫製Ｍ16されるとともに、第２後ろ体55と第２クロッチ部片が縫製Ｍ16されている。
【００４０】
また、製法４の裾口・ウエスト部縫製工程は、裾口縫製工程を先に行ない、ウエスト部縫製工程を後に行なっても良い。
【００４１】
以上のように、本発明は、第１布地１と、第１布地１の裏面Ｙ1 側に配設された第２布地２をもって、リバーシブルに構成したので、肌触りや履き心地がよく、また丈夫で長持ちである。また、２種類の布地を履き替えることによって、ファッション面においても楽しむことができ、気分転換することができる。また、万一の場合に裏返して履くことができ、至便である。
【００４２】
また、第１布地１と、第１布地１の裏面Ｙ1 側に配設された第２布地２をもって、リバーシブルに構成し、さらに、縫い代３を、第１布地１と第２布地２の間に収納したので、縫い代３が肌に直接接触することがないため、肌触りや履き心地が良い。また、２種類の布地を履き替えることによって、ファッション面においても楽しむことができ、気分転換することができる。また、保温性が良い。また、万一の場合に裏返して履くことができ、至便である。また、２枚仕立てなので、保温性に優れるとともに、丈夫で長持ちする。また、第１布地１及び第２布地２を薄地にて製造すれば、軽くて肌触りや履き心地が良いとともに、洗濯をしたときに早く乾燥させることができる。
【００４３】
また、ウエスト部８と左右裾部９，９と左右脇部10，10と股部11と前あき12を有する第１布地１製第１前体13と、ウエスト部14と左右裾部15，15と左右脇部16，16と股部17と前あき18を有する第２布地２製第２前体19と、ウエスト部20と左右裾部21，21と左右脇部22，22と股部23を有する第１布地１製第１後ろ体24と、ウエスト部25と左右裾部26，26と左右脇部27，27と股部28を有する第２布地２製第２後ろ体29を、製造する前体・後ろ体製造工程と、第１前体13と第１後ろ体24を表て面Ｘ1 ，Ｘ1 合わせにして、夫々の左脇部10ａと左脇部22ａ、右脇部10ｂと右脇部22ｂ、及び、股部11と股部23を相互に縫製Ｍ3 して、第１前体13の左右裾部９，９と第１後ろ体24の対応する左右裾部21，21にて左右第１裾口33，33を形成しつつ、第１半体31を形成するとともに、第２前体19と第２後ろ体29を表て面Ｘ2 ，Ｘ2 合わせにして、夫々の左脇部16ａと左脇部27ａ、右脇部16ｂと右脇部27ｂ、及び、股部17と股部28を相互に縫製Ｍ4 して、第２前体19の左右裾部15，15と第２後ろ体29の対応する左右裾部26，26にて左右第２裾口34，34を形成しつつ、第２半体32を形成する半体形成工程と、第１半体31と第２半体32を、各々の裏面Ｙ1 ，Ｙ2 を外側とした状態で、第１前体13のウエスト部８と第２前体19のウエスト部14を、表て面Ｘ1 ，Ｘ2 合わせにして、縫製Ｍ5 するとともに、第１後ろ体24のウエスト部20と第２後ろ体29のウエスト部25を、表て面Ｘ1 ，Ｘ2 合わせにして、縫製Ｍ6 するウエスト部縫製工程と、第１半体31と第２半体32のいずれかを、左右第１裾口33，33と左右第２裾口34，34のいずれかひとつにくぐらせて、第１半体31と第２半体32を、各々の表て面Ｘ1 ，Ｘ2 を外側とした状態にする反転工程と、第１半体31と第２半体32の一方を他方に表て面Ｘ1 ，Ｘ2 が外側になるように、かつ、左右第１裾口33，33の各々が対応する左右第２裾口34，34に重なるように、入れる重ね入れ工程と、左右第１裾口33，33の一方と第１裾口33に対応する第２裾口34を、左右第１裾口33，33の他方と第１裾口33に対応する第２裾口34の間、又は、第１前体13の前あき12、又は、第２前体19の前あき18に引き出して、表て面Ｘ1 ，Ｘ2 どうしを合わせつつ縫製Ｍ10するとともに、左右第１裾口33，33の他方と第１裾口33に対応する第２裾口34を、第１前体13の前あき12又は第２前体19の前あき18に引き出して、表て面Ｘ1 ，Ｘ2 どうしを合わせつつ縫製Ｍ11する裾口縫製工程と、を順次有するので、縫い代３を第１布地１と第２布地２の間に収納した男性用パンツを製造することができる。
【００４４】
また、ウエスト部８と左右裾部９，９と左右脇部10，10と股部11と前あき12を有する第１布地１製第１前体13と、ウエスト部14と左右裾部15，15と左右脇部16，16と股部17と前あき18を有する第２布地２製第２前体19と、ウエスト部20と左右裾部21，21と左右脇部22，22と股部23を有する第１布地１製第１後ろ体24と、ウエスト部25と左右裾部26，26と左右脇部27，27と股部28を有する第２布地２製第２後ろ体29を、製造する前体・後ろ体製造工程と、第１前体13と第１後ろ体24を表て面Ｘ1 ，Ｘ1 合わせにして、夫々の左脇部10ａと左脇部22ａ、右脇部10ｂと右脇部22ｂ、及び、股部11と股部23を相互に縫製Ｍ3 して、第１前体13の左右裾部９，９と第１後ろ体24の対応する左右裾部21，21にて左右第１裾口33，33を形成しつつ、第１半体31を形成するとともに、第２前体19と第２後ろ体29を表て面Ｘ2 ，Ｘ2 合わせにして、夫々の左脇部16ａと左脇部27ａ、右脇部16ｂと右脇部27ｂ、及び、股部17と股部28を相互に縫製Ｍ4 して、第２前体19の左右裾部15，15と第２後ろ体29の対応する左右裾部26，26にて左右第２裾口34，34を形成しつつ、第２半体32を形成する半体形成工程と、第１半体31と第２半体32を、各々の裏面Ｙ1 ，Ｙ2 を外側とした状態で、左右第１裾口33，33の一方と、第１裾口33に対応する第２裾口34を、第１前体13と第２前体19の表て面Ｘ1 ，Ｘ2 どうしを合わせつつ、かつ、第１後ろ体24と第２後ろ体29の表て面Ｘ1 ，Ｘ2 どうしを合わせつつ、縫製Ｍ13するとともに、第１半体31と第２半体32を、各々の裏面Ｙ1 ，Ｙ2 を外側とした状態で、左右第１裾口33，33の他方と、第１裾口33に対応する第２裾口34を、第１前体13と第２前体19の表て面Ｘ1 ，Ｘ2 どうしを合わせつつ、かつ、第１後ろ体24と第２後ろ体29の表て面Ｘ1 ，Ｘ2 どうしを合わせつつ、縫製Ｍ14する裾口縫製工程と、第１前体13のウエスト部８と第２前体19のウエスト部14を、表て面Ｘ1 ，Ｘ2 合わせにして、縫製Ｍ5 するとともに、第１後ろ体24のウエスト部20と第２後ろ体29のウエスト部25を、表て面Ｘ1 ，Ｘ2 合わせにして、縫製Ｍ6 するウエスト部縫製工程と、全体を、第１前体13の前あき12、又は、第２前体19の前あき18をくぐらせて反転させる最終反転工程と、を順次有するので、縫い代３を第１布地１と第２布地２の間に収納した男性用パンツを製造することができる。
【００４５】
また、ウエスト部36と左右裾部37，37と左右脇部38，38と股部39を有する第１布地１製第１前体40と、ウエスト部41と左右裾部42，42と左右脇部43，43と股部44を有する第２布地２製第２前体45と、ウエスト部46と左右裾部47，47と左右脇部48，48と股部49を有する第１布地１製第１後ろ体50と、ウエスト部51と左右裾部52，52と左右脇部53，53と股部54を有する第２布地２製第２後ろ体55を、製造する前体・後ろ体製造工程と、第１前体40と第１後ろ体50を表て面Ｘ1 ，Ｘ1 合わせにして、夫々の左脇部38ａと左脇部48ａ、右脇部38ｂと右脇部48ｂ、及び、股部39と股部49を、相互に縫製Ｍ15して、第１前体40の左右裾部37，37と第１後ろ体50の対応する左右裾部47，47にて左右第１裾口59，59を形成しつつ、第１半体57を形成するとともに、第２前体45と第２後ろ体55を表て面Ｘ2 ，Ｘ2 合わせにして、夫々の左脇部43ａと左脇部53ａ、右脇部43ｂと右脇部53ｂ、及び、股部44と股部54を、相互に縫製Ｍ16して、第２前体45の左右裾部42，42と第２後ろ体55の対応する左右裾部52，52にて左右第２裾口60，60を形成しつつ、第２半体58を形成する半体形成工程と、第１半体57と第２半体58を、各々の裏面Ｙ1 ，Ｙ2 を外側とした状態で、第１前体40のウエスト部36と第２前体45のウエスト部41を、表て面Ｘ1 ，Ｘ2 合わせにして、縫製Ｍ17するとともに、第１後ろ体50のウエスト部46と第２後ろ体55のウエスト部51を、表て面Ｘ1 ，Ｘ2 合わせにして、縫製Ｍ18し、その際、第１前体40のウエスト部36と第２前体45のウエスト部41の間、又は、第１後ろ体50と第２後ろ体55の間に、あき部61を残して縫製Ｍ24するウエスト部縫製工程と、第１半体57と第２半体58のいずれかを、左右第１裾口59，59と左右第２裾口60，60のいずれかひとつにくぐらせて、第１半体57と第２半体58を、各々の表て面Ｘ1 ，Ｘ2 を外側とした状態にする反転工程と、上記第１半体57と第２半体58の一方を他方に表て面Ｘ1 ，Ｘ2 が外側になるように、かつ、左右第１裾口59，59の各々が対応する第２裾口60，60に重なるように、入れる重ね入れ工程と、左右第１裾口59，59の一方と第１裾口59に対応する第２裾口60を、左右第１裾口59，59の他方と第１裾口59に対応する第２裾口60の間、又は、あき部61に引き出して、表て面Ｘ1 ，Ｘ2 どうしを合わせつつ縫製Ｍ21するとともに、左右第１裾口59，59の他方と第１裾口59に対応する第２裾口60を、あき部61に引き出して、表て面Ｘ1 ，Ｘ2 どうしを合わせつつ縫製Ｍ22する裾口縫製工程と、を順次有するので、縫い代３を第１布地１と第２布地２の間に収納した女性用パンツを製造することができる。
【００４６】
また、ウエスト部36と左右裾部37，37と左右脇部38，38と股部39を有する第１布地１製第１前体40と、ウエスト部41と左右裾部42，42と左右脇部43，43と股部44を有する第２布地２製第２前体45と、ウエスト部46と左右裾部47，47と左右脇部48，48と股部49を有する第１布地１製第１後ろ体50と、ウエスト部51と左右裾部52，52と左右脇部53，53と股部54を有する第２布地２製第２後ろ体55を、製造する前体・後ろ体製造工程と、第１前体40と第１後ろ体50を表て面Ｘ1 ，Ｘ1 合わせにして、夫々の左脇部38ａと左脇部48ａ、右脇部38ｂと右脇部48ｂ、及び、股部39と股部49を、相互に縫製Ｍ15して、第１前体40の左右裾部37，37と第１後ろ体50の対応する左右裾部47，47にて左右第１裾口59，59を形成しつつ、第１半体57を形成するとともに、第２前体45と第２後ろ体55を表て面Ｘ2 ，Ｘ2 合わせにして、夫々の左脇部43ａと左脇部53ａ、右脇部43ｂと右脇部53ｂ、及び、股部44と股部54を、相互に縫製Ｍ16して、第２前体45の左右裾部42，42と第２後ろ体55の対応する左右裾部52，52にて左右第２裾口60，60を形成しつつ、第２半体58を形成する半体形成工程と、第１半体57と第２半体58を、各々の裏面Ｙ1 ，Ｙ2 を外側とした状態で、左右第１裾口59，59の一方と、第１裾口59に対応する第２裾口60を、第１前体40と第２前体45の表て面Ｘ1 ，Ｘ2 どうしを合わせつつ、かつ、第１後ろ体50と第２後ろ体55の表て面Ｘ1 ，Ｘ2 どうしを合わせつつ、縫製Ｍ21するとともに、第１半体57と第２半体58を、各々の裏面Ｙ1 ，Ｙ2 を外側とした状態で、左右第１裾口59，59の他方と、第１裾口59に対応する第２裾口60を、第１前体40と第２前体45の表て面Ｘ1 ，Ｘ2 どうしを合わせつつ、かつ、第１後ろ体50と第２後ろ体55の表て面Ｘ1 ，Ｘ2 どうしを合わせつつ、縫製Ｍ22し、かつ、第１半体57と第２半体58を、各々の裏面Ｙ1 ，Ｙ2 を外側とした状態で、第１前体40のウエスト部36と第２前体45のウエスト部41を、表て面Ｘ1 ，Ｘ2 合わせにして、縫製Ｍ17するとともに、第１後ろ体50のウエスト部46と第２後ろ体55のウエスト部51を、表て面Ｘ1 ，Ｘ2 合わせにして、縫製Ｍ18し、その際、第１前体40のウエスト部36と第２前体45のウエスト部41の間、又は、第１後ろ体50と第２後ろ体55の間に、あき部61を残して縫製Ｍ24する裾口・ウエスト部縫製工程と、全体を、あき部61をくぐらせて反転させる最終反転工程と、を順次有するので、縫い代３を第１布地１と第２布地２の間に収納した女性用パンツを製造することができる。
【図面の簡単な説明】
【００４７】
【図１】第１の実施の形態を示す正面図及び斜視図である。
【図２】リバーシブル状態を示す正面図及び斜視図である。
【図３】図１のＡ−Ａ拡大断面側面図である。
【図４】図１のＢ−Ｂ拡大断面側面図である。
【図５】第２の実施の形態を示す正面図である。
【図６】図５のＣ−Ｃ拡大断面側面図である。
【図７】図５のＤ−Ｄ拡大断面図である。
【図８】第１前体の分解図である。
【図９】第１前体を示す正面図である。
【図１０】第２前体を示す正面図である。
【図１１】第１後ろ体を示す正面図である。
【図１２】第２後ろ体を示す正面図である。
【図１３】第１半体を示す正面図及びそのＥ−Ｅ断面図である。
【図１４】第１半体と第２半体を縫製した状態を示す正面図及びＦ−Ｆ断面図である。
【図１５】第１半体と第２半体の表て面を外側とした状態を示す正面図である。
【図１６】正面図及びそのＧ−Ｇ断面図及びＨ−Ｈ拡大断面図である。
【図１７】図16のＪ−Ｊ断面の位置の説明用拡大断面図である。
【図１８】説明用正面図である。
【図１９】正面図である。
【図２０】説明用正面図及びそのＫ−Ｋ拡大断面図である。
【図２１】他の製法を示す正面図である。
【図２２】図21のＮ−Ｎ断面側面図である。
【図２３】正面図及びそのＰ−Ｐ拡大断面図である。
【図２４】第２の実施の形態の第１前体を示す正面図である。
【図２５】第２前体を示す正面図である。
【図２６】第１後ろ体を示す正面図である。
【図２７】第２後ろ体を示す正面図である。
【図２８】第１半体と第２半体を縫製した状態を示す正面図及びそのＱ−Ｑ断面図である。
【図２９】第１半体と第２半体の表て面を外側とした状態を示す正面図である。
【図３０】正面図である。
【図３１】説明用正面図及びそのＲ−Ｒ拡大断面図である。
【図３２】正面図である。
【図３３】説明用正面図及びそのＴ−Ｔ拡大断面図である。
【図３４】他の製法を示す説明用断面側面図である。
【図３５】説明用断面側面図である。
【符号の説明】
【００４８】
１  第１布地
２  第２布地
３  縫い代
８  ウエスト部
９  （左右）裾部
10  （左右）脇部
10ａ  左脇部
10ｂ  右脇部
11  股部
12  前あき
13  第１前体
14  ウエスト部
15  （左右）裾部
16  （左右）脇部
16ａ  左脇部
16ｂ  右脇部
17  股部
18  前あき
19  第２前体
20  ウエスト部
21  （左右）裾部
22  （左右）脇部
22ａ  左脇部
22ｂ  右脇部
23  股部
24  第１後ろ体
25  ウエスト部
26  （左右）裾部
27  （左右）脇部
27ａ  左脇部
27ｂ  右脇部
28  股部
29  第２後ろ体
31  第１半体
32  第２半体
33  第１裾口
34  第２裾口
36  ウエスト部
37  （左右）裾部
38  （左右）脇部
38ａ  左脇部
38ｂ  右脇部
39  股部
40  第１前体
41  ウエスト部
42  （左右）裾部
43  （左右）脇部
43ａ  左脇部
43ｂ  右脇部
44  股部
45  第２前体
46  ウエスト部
47  （左右）裾部
48  （左右）脇部
48ａ  左脇部
48ｂ  右脇部
49  股部
50  第１後ろ体
51  ウエスト部
52  （左右）裾部
53  （左右）脇部
53ａ  左脇部
53ｂ  右脇部
54  股部
55  第２後ろ体
57  第１半体
58  第２半体
59  第１裾口
60  第２裾口
61  あき部
Ｍ3   縫製
Ｍ4   縫製
Ｍ5   縫製
Ｍ6   縫製
Ｍ10  縫製
Ｍ11  縫製
Ｍ13  縫製
Ｍ14  縫製
Ｍ15  縫製
Ｍ16  縫製
Ｍ17  縫製
Ｍ18  縫製
Ｍ21  縫製
Ｍ22  縫製
Ｍ24  縫製
Ｍ25  縫製
Ｍ26  縫製
Ｘ1   表て面
Ｘ2   表て面
Ｙ1   裏面
Ｙ2   裏面
【図１】
2006193865.tif 000003
【図２】
2006193865.tif 000004
【図３】
2006193865.tif 000005
【図４】
2006193865.tif 000006
【図５】
2006193865.tif 000007
【図６】
2006193865.tif 000008
【図７】
2006193865.tif 000009
【図８】
2006193865.tif 000010
【図９】
2006193865.tif 000011
【図１０】
2006193865.tif 000012
【図１１】
2006193865.tif 000013
【図１２】
2006193865.tif 000014
【図１３】
2006193865.tif 000015
【図１４】
2006193865.tif 000016
【図１５】
2006193865.tif 000017
【図１６】
2006193865.tif 000018
【図１７】
2006193865.tif 000019
【図１８】
2006193865.tif 000020
【図１９】
2006193865.tif 000021
【図２０】
2006193865.tif 000022
【図２１】
2006193865.tif 000023
【図２２】
2006193865.tif 000024
【図２３】
2006193865.tif 000025
【図２４】
2006193865.tif 000026
【図２５】
2006193865.tif 000027
【図２６】
2006193865.tif 000028
【図２７】
2006193865.tif 000029
【図２８】
2006193865.tif 000030
【図２９】
2006193865.tif 000031
【図３０】
2006193865.tif 000032
【図３１】
2006193865.tif 000033
【図３２】
2006193865.tif 000034
【図３３】
2006193865.tif 000035
【図３４】
2006193865.tif 000036
【図３５】
2006193865.tif 000037